(57)【要約】      （修正有）【課題】曜日、店舗、時間帯等の条件によってサービス内容を変更できるデータ処理システム。【解決手段】広告配信装置１０とサービス管理装置２０と表示装置３０とＩＣカード５０と第１のリーダ／ライタ６０と店舗端末装置７０と第２のリーダ／ライタ８０とを備え、表示装置３０は選択された広告データの広告識別データをサービス管理装置２０に送信し、サービス管理装置２０は送信された広告識別データに関連したサービス識別データを表示装置３０に送信し、表示装置３０は第１のリーダ／ライタ６０でＩＣカード５０にサービス識別データを書込み、第２のリーダ／ライタ８０でＩＣカード５０よりサービス識別データを読出すと、店舗端末装置７０はサービス管理装置２０にサービス識別データと条件データとを送信し、サービス管理装置２０はサービス識別データと関連した管理テーブルから条件データに応じた割引率データを生成し、店舗端末装置７０に送信する。【選択図】図１
2009043147.tif 000002
【特許請求の範囲】
【請求項１】
広告識別データが付与された広告データを配信する広告配信装置と、
上記広告識別データに対して、サービス識別データと条件によって異なるサービス内容を定義した管理テーブルとを関連付けたデータベースを有するサービス管理装置と、
上記広告配信装置より配信された広告識別データが付与された広告データを表示部に表示する表示装置と、
上記サービス識別データを格納するメモリ手段と、
上記表示装置に接続され、上記メモリ手段と通信を行い、上記メモリ手段に上記サービス識別データを書き込む第１のリーダ／ライタと、
上記メモリ手段と通信を行い、上記メモリ手段より上記サービス識別データを読み出す第２のリーダ／ライタと、
上記第２のリーダ／ライタが接続され、この第２のリーダ／ライタで上記メモリ手段より読み出したサービス識別データを上記サービス管理装置に送信すると共に、上記サービス管理装置より送信されたサービス内容を含むサービスデータを受信する端末装置とを備え、
上記広告配信装置は、上記広告識別データが付与された広告データを上記表示装置に配信し、
上記表示装置は、選択された所定の広告データの広告識別データを上記サービス管理装置に送信し、
上記サービス管理装置は、上記表示装置より送信された広告識別データに関連付けられたサービス識別データを上記表示装置に送信し、
上記表示装置は、上記サービス管理装置より送信されたサービス識別データを上記第１のリーダ／ライタを介して上記メモリ手段に書き込み、
上記端末装置は、上記第２のリーダ／ライタで上記メモリ手段より上記サービス識別データが読み出されると、当該読み出したサービス識別データを上記サービス管理装置に送信し、
上記サービス管理装置は、上記端末装置より送信されたサービス識別データに基づいて管理テーブルを特定すると共に、上記端末装置又は当該サービス管理装置で生成した条件データに基づいて、当該条件データを示す条件に対応するサービス内容を特定し、特定したサービス内容を含むサービスデータを端末装置に送信することを特徴とするデータ処理システム。
【請求項２】
上記管理テーブルは、曜日、店舗、時間帯のうち少なくとも１つの条件毎に、異なるサービス内容が定義されていることを特徴とする請求項１記載のデータ処理システム。
【請求項３】
上記メモリ手段には、更に、属性データが格納されており、
上記広告配信装置は、更に、上記属性データと上記広告識別データとを関連付けて管理し、
上記表示装置は、上記第１のリーダ／ライタを介して上記メモリ手段より上記属性データを読み出し、当該読み出した属性データを上記広告配信装置に送信し、
上記広告配信装置は、上記表示装置より送信された属性データに関連付けられた広告データを上記表示装置に配信し、
上記表示装置は、上記広告配信装置より配信された広告データを表示部に表示することを特徴とする請求項１記載のデータ処理システム。
【請求項４】
上記表示装置は、更に、上記サービス管理装置が上記表示装置からの要求に応じて送信された管理テーブルのサービス内容を表示することを特徴とする請求項１記載のデータ処理システム。
【請求項５】
上記端末装置は、更に、上記サービス管理装置が上記端末装置からの要求に応じて送信された管理テーブルのサービス内容を表示することを特徴とする請求項１記載のデータ処理システム。
【請求項６】
要求に応じて上記サービス管理装置より送信された管理テーブルのサービス内容を表示するユーザ端末を備えることを特徴とする請求項１記載のデータ処理システム。
【請求項７】
広告識別データに対して、サービス識別データと条件によって異なるサービス内容を定義した管理テーブルとを関連付けてデータベースで管理するステップと、
広告配信装置が広告識別データが付与された広告データを配信するステップと、
表示装置が上記広告配信装置より配信された広告識別データが付与された広告データを表示部に表示するステップと、
上記表示装置が選択された所定の広告データの広告識別データをサービス管理装置に送信するステップと、
上記サービス管理装置が上記表示装置より送信された広告識別データに関連付けられたサービス識別データを上記表示装置に送信するステップと、
上記表示装置が上記サービス管理装置より送信されたサービス識別データを第１のリーダ／ライタを介してメモリ手段に書き込むステップと、
上記端末装置が上記第２のリーダ／ライタで上記メモリ手段より上記サービス識別データが読み出されると、当該読み出したサービス識別データを上記サービス管理装置に送信するステップと、
上記サービス管理装置が上記端末装置より送信されたサービス識別データに基づいて管理テーブルを特定すると共に、上記端末装置又は上記サービス管理装置で生成した条件データに基づいて、この条件データが示す条件に対応するサービス内容を特定し、特定したサービス内容を含むサービスデータを上記端末装置に送信するステップとを有することを特徴とするデータ処理方法。
【発明の詳細な説明】
【技術分野】
【０００１】
本発明は、曜日、店舗、時間帯等の条件によってサービス内容を変更することができるデータ処理システム及びデータ処理方法に関する。
【背景技術】
【０００２】
近年、特許文献１のようなインターラクティブサイネージのシステムでは、公共の場所に設置されたテレビモニタや家庭内のテレビモニタに表示される広告から、この広告に関わる商品及びイベント等に関連する電子クーポンを配布し、この電子クーポンを店舗やイベント会場等に持って行き、照合することによって、所定のサービスが受けられる。
【０００３】
しかしながら、特許文献１のインターラクティブサイネージのシステムでは、ある電子クーポンが配布されることで、固定された所定のサービスが受けられるにとどまっていた。
【０００４】
ところで、店舗等においては、例えば、週末や休日は来客が多いが平日は来客が少ない場合がある一方、平日は来客が多いが週末や休日は来客が少ない場合もある。また、お昼の時間帯の来客は多いがその他の時間帯の来客が少ない場合もある。更に、交通のアクセスがよく来客が多い店舗がある一方、交通のアクセスが悪く来客が少ない店舗もある。店舗側としてみれば、曜日、店舗、時間帯等の条件によって来客数が変動することをできるだけ抑えるために、来客が少ない条件のときに来客を増やすことが望まれている。
【０００５】
【特許文献１】特開２００５−３０１５８６号公報
【発明の開示】
【発明が解決しようとする課題】
【０００６】
本発明は、曜日、店舗、時間帯等の条件によってサービス内容が異なるサービスデータを頒布することで、来客が少ない条件のときに来客を増やすように誘導することができるデータ処理システム及びデータ処理方法を提供することを目的とする。
【課題を解決するための手段】
【０００７】
上述した目的を達成する本発明に係るデータ処理システムは、広告識別データが付与された広告データを配信する広告配信装置と、上記広告識別データに対して、サービス識別データと条件によって異なるサービス内容を定義した管理テーブルとを関連付けたデータベースを有するサービス管理装置と、上記広告配信装置より配信された広告識別データが付与された広告データを表示部に表示する表示装置と、上記サービス識別データを格納するメモリ手段と、上記表示装置に接続され、上記メモリ手段と通信を行い、上記メモリ手段に上記サービス識別データを書き込む第１のリーダ／ライタと、上記メモリ手段と通信を行い、上記メモリ手段より上記サービス識別データを読み出す第２のリーダ／ライタと、上記第２のリーダ／ライタが接続され、この第２のリーダ／ライタで上記メモリ手段より読み出したサービス識別データを上記サービス管理装置に送信すると共に、上記サービス管理装置より送信されたサービス内容を含むサービスデータを受信する端末装置とを備える。
【０００８】
そして、データ処理システムは、上記広告配信装置が、上記広告識別データが付与された広告データを上記表示装置に配信し、上記表示装置が、選択された所定の広告データの広告識別データを上記サービス管理装置に送信し、上記サービス管理装置が、上記表示装置より送信された広告識別データに関連付けられたサービス識別データを上記表示装置に送信し、上記表示装置が、上記サービス管理装置より送信されたサービス識別データを上記第１のリーダ／ライタを介して上記メモリ手段に書き込み、上記端末装置が、上記第２のリーダ／ライタで上記メモリ手段より上記サービス識別データが読み出されると、当該読み出したサービス識別データを上記サービス管理装置に送信し、上記サービス管理装置が、上記端末装置より送信されたサービス識別データに基づいて管理テーブルを特定すると共に、上記端末装置又は当該サービス管理装置で生成した条件データに基づいて、この条件データが示す条件に対応するサービス内容を特定し、特定したサービス内容を含むサービスデータを端末装置に送信する。
【０００９】
また、本発明は、以上のようなデータ処理システムを用いたデータ処理方法である。
【発明の効果】
【００１０】
本発明によれば、サービス管理装置が、サービス識別データに関連付けられた管理テーブルをデータベースより特定し、特定した管理テーブルで端末装置又はサービス管理装置で生成した条件データに基づいて、この条件データが示す条件に対応するサービス内容のサービスデータを生成し、生成したサービスデータを端末装置に送信することで、来客の少ない条件のときに、特典の大きなサービスを提供することができるようになり、来客を増やすように誘導することができる。
【発明を実施するための最良の形態】
【００１１】
以下、本発明が適用されたデータ処理システムについて、図面を参照して説明する。
【００１２】
図１に示すように、本発明が適用されたデータ処理システム１は、広告データと管理テーブル等を提供する広告主端末２と、広告主端末２より提供された広告データに広告識別データを付与して配信する広告配信装置１０と、広告識別データと管理テーブル等を関連付けて管理するデータベース２２を有するサービス管理装置２０と、広告配信装置１０より配信された広告データを表示する表示装置３０と、ユーザが所持管理するＩＣカード５０と、表示装置３０に接続されＩＣカード５０と通信を行う第１のリーダ／ライタ６０と、店舗等に設置されるＰＯＳ機能を有する店舗端末装置７０と、店舗端末装置７０に接続されＩＣカード５０と通信を行う第２のリーダ／ライタ８０とを備える。
【００１３】
広告データと管理テーブル等を提供する広告主端末２は、例えば複数の広告主がそれぞれ管理しており、図２（Ａ）に示すように、通常のサーバ装置やワークステーションと同様の構成を有する。具体的に、広告主端末２は、広告データやこの広告データのサービスデータである割引率データを管理する管理テーブル等を格納する広告ソース３と、広告ソース３に格納された広告データや管理テーブル等を送信するネットワークＩ／Ｆ４と、全体の動作を制御する制御部５とを備えている。
【００１４】
広告ソース３は、例えば大容量のハードディスクで構築されており、広告データと、この広告データの割引率データを管理する管理テーブルと、ユーザ等が所持管理するＩＣカード５０に格納された属性データと関連する広告データを提供するための広告属性データとを格納している。
【００１５】
具体的に、広告ソース３は、例えば広告主が「○○○レストラン」の場合、広告データは、「メニューＡ１」、「メニューＡ２」等のメニューの画像データである。
【００１６】
管理テーブルは、図３に示すように、「メニューＡ１」、「メニューＡ２」の曜日に応じた割引率データを格納している。曜日に応じた割引率データを格納することで、広告主は、曜日に応じて来客数が変動することを抑えることができる。例えば、広告主「○○○レストラン」は、都心のオフィス街にある場合、週末のみ割引を設定することや平日と比べて週末の割引率データを高く設定することで、週末と平日での来客数の変動を抑えることができる。すなわち、この管理テーブルは、例えば、「メニューＡ１」に対して、土曜日と日曜日に１０％の割引率データを格納し、「メニューＡ２」に対して、月曜日から金曜日に５％、土曜日と日曜日に１５％の割引率データを格納している。
【００１７】
広告属性データは、年齢、性別、嗜好、住所等のＩＣカード５０に格納された属性データと対応し、例えば、「メニューＡ１」に対して、「２０代〜３０代」と設定し、「メニューＡ２」に対して、「４０代〜５０代」と設定したデータである。
【００１８】
また、広告ソース３は、例えば広告主が「△△△映画館」の場合、広告データは、「映画Ｂ１」、「映画Ｂ２」の予告編等の動画データである。
【００１９】
管理テーブルは、図４に示すように、「映画Ｂ１」、「映画Ｂ２」の店舗に応じた割引率データを格納している。店舗に応じた割引率データを格納することで、広告主は、店舗に応じて来客数が変動することを抑えることができる。例えば、広告主「△△△映画館」は、郊外にある交通のアクセスの悪い店舗のみに割引を設定することや交通のアクセスのよい店舗に比べて交通のアクセスの悪い店舗の割引率データを高く設定することで、店舗間での来客数の変動を抑えることができる。すなわち、この管理テーブルは、「映画Ｂ１」に対して、「６６６店舗」と「７７７店舗」に５％の割引率データを格納し、「映画Ｂ２」に対して、「１１１店舗」から「５５５店舗」に５％、「６６６店舗」と「７７７店舗」に１０％の割引率データを格納している。
【００２０】
広告属性データは、例えば、「映画Ｂ１」に対して、「男性」と設定し、「映画Ｂ２」に対して、「女性」と設定したデータである。
【００２１】
更に、広告ソース３は、例えば広告主が「□□□スーパーマーケット」の場合、広告データは、「商品Ｃ１」、「商品Ｃ２」、「商品Ｄ」等の商品の画像データである。
【００２２】
管理テーブルは、図５に示すように、「商品Ｃ１」、「商品Ｃ２」の時間帯に応じた割引率データを格納している。時間帯に応じた割引率データを格納することで、広告主は、時間帯に応じて来客数が変動することを抑えることができる。例えば、広告主「□□□スーパーマーケット」は、夕方や閉店前のみに「商品Ｃ１」や「商品Ｃ２」の割引を設定することやその他の時間帯と比べて夕方や閉店前の「商品Ｃ１」や「商品Ｃ２」の割引率データを高く設定することで、時間帯に応じた来客数の変動を抑えることができると共に、「商品Ｃ１」や「商品Ｃ２」の売れ残りをなくすことができる。すなわち、この管理テーブルは、「商品Ｃ１」に対して、１６時から１７時まで５％、１７時から２０時まで１０％、２０時から２１時まで１５％の割引率データを格納し、「商品Ｃ２」に対して、１０時から１６時まで５％、１６時から１７時まで１０％、１７時から２０時まで１５％、２０時から２１時まで２０％の割引率データを格納している。
【００２３】
また、管理テーブルは、図６に示すように、「商品Ｄ」の曜日及び時間帯に応じた割引率データを格納している。曜日及び時間帯に応じた割引率データを格納することで、広告主は、曜日及び時間帯に応じて来客数が変動することを抑えることができる。例えば、広告主「□□□スーパーマーケット」は、休日の夕方や閉店前のみに「商品Ｄ」の割引を設定することや平日や休日のその他の時間帯と比べて休日の夕方や閉店前の「商品Ｄ」の割引率データを高く設定することで、曜日及び時間帯の応じた来客数の変動を抑えることができると共に、「商品Ｄ」の売れ残りをなくすことができる。すなわち、この管理テーブルは、「商品Ｄ」に対して、月曜日から金曜日の１６時から１７時まで５％、月曜日から金曜日の１７時から２０時まで１０％、月曜日から金曜日の２０時から２１時まで１５％、土曜日と日曜日の１０時から１６時まで５％、土曜日と日曜日の１６時から１７時まで１０％、土曜日と日曜日の１７時から２０時まで１５％、土曜日と日曜日の２０時から２１時まで２０％の割引率データを格納している。
【００２４】
広告属性データは、例えば、「商品Ｃ１」に対して、「２０代〜３０代」及び「男性」と設定し、「商品Ｃ２」に対して、「４０代〜５０代」及び「女性」と設定したデータである。なお、広告属性データは、必ずしも設定することに限定されるものではなく、例えば「商品Ｄ」のように、設定しなくてもよい。
【００２５】
また、管理テーブルは、曜日、店舗、時間帯又は曜日及び時間帯に応じた割引率データを格納することに限定されるものではなく、上述した他に、曜日と店舗、店舗と時間帯、曜日と店舗と時間帯とに応じた割引率データを格納してもよい。曜日と店舗に応じた割引率データを格納することで、広告主は、曜日と店舗に応じて来客数が変動することを抑えることができ、店舗と時間帯に応じた割引率データを格納することで、広告主は、店舗と時間帯に応じて来客数が変動することを抑えることができ、曜日と店舗と時間帯とに応じた割引率データを格納することで、広告主は、曜日と店舗と時間帯とに応じて来客数が変動することを抑えることができる。
【００２６】
広告ソース３に格納された広告データと割引率データと広告属性データとを送信するネットワークＩ／Ｆ４は、インターネット等のネットワークを介して広告配信装置１０やサービス管理装置２０と接続するネットワークカード等で構成され、ＴＣＰ／ＩＰ（Transmission Control Protocol/Internet Protocol）、ＲＴＰ（Real-time Transport Protocol）等のプロトコルに従って通信を行う。
【００２７】
全体の動作を制御する制御部５は、ＣＰＵ（Central Processing Unit）、ＲＯＭ（Read Only Memory ）、ＲＡＭ（Random Access Memory）等で構成され、例えばＰＣＩ（Peripheral Component Interconnect）バスを介して相互に接続され、ＲＡＭ等にロードされたプログラムや処理データに従って全体の動作を制御する。
【００２８】
例えば、制御部５は、広告ソース３に格納されている複数の広告データと広告属性データとをネットワークＩ／Ｆ４を介して広告配信装置１０に送信すると共に、管理テーブルをネットワークＩ／Ｆ４を介してサービス管理装置２０に送信する。
【００２９】
複数の広告主端末２よりそれぞれ広告データと広告属性データとが送信される広告配信装置１０は、例えば広告代理店が管理しており、通常のサーバ装置やワークステーションと同様の構成を有する。具体的に、広告配信装置１０は、図２（Ａ）に示すように、複数の広告主端末２よりそれぞれ広告データと広告属性データとが送信されるネットワークＩ／Ｆ１１と、ネットワークＩ／Ｆ１１で受信された広告データに広告識別データを挿入する広告識別データ挿入部１２と、広告識別データ挿入部１２で広告識別データが挿入された広告データを格納する広告データ格納部１３と、全体の動作を制御する制御部１４とを備えている。
【００３０】
複数の広告主端末２よりそれぞれ広告データと広告属性データとが送信されるネットワークＩ／Ｆ１１は、インターネット等のネットワークを介して広告主端末２やサービス管理装置２０や表示装置３０と接続するネットワークカード等で構成され、ＴＣＰ／ＩＰ、ＲＴＰ等のプロトコルに従って通信を行う。
【００３１】
例えば、ネットワークＩ／Ｆ１１は、インターネット等のネットワークを介して複数の広告主端末２よりそれぞれ広告データと広告属性データとが送信され、送信された広告データを広告識別データ挿入部１２に出力すると共に、広告属性データを広告データ格納部１３に出力する。
【００３２】
ネットワークＩ／Ｆ１１より広告データが出力される広告識別データ挿入部１２は、複数の広告主端末２より送信されたそれぞれの広告データを識別するために、広告識別データを、広告データの例えばヘッダの部分に挿入する。
【００３３】
具体的に、広告識別データ挿入部１２は、広告主「○○○レストラン」の広告主端末２より送信された「メニューＡ１」の広告データに広告識別データ「ＡＡ１」を挿入し、「メニューＡ２」の広告データに広告識別データ「ＡＡ２」を挿入する。
【００３４】
また、他の広告主「△△△映画館」の広告主端末２より送信された「映画Ｂ１」の広告データに広告識別データ「ＢＢ１」を挿入し、「映画Ｂ２」の広告データに広告識別データ「ＢＢ２」を挿入する。
【００３５】
更に、他の広告主「□□□スーパーマーケット」の広告主端末２より送信された「商品Ｃ１」の広告データに広告識別データ「ＣＣ１」を挿入し、「商品Ｃ２」の広告データに広告識別データ「ＣＣ２」を挿入し、「商品Ｄ」の広告データに広告識別データ「ＤＤＤ」を挿入する。そして、広告識別データ挿入部１２は、広告識別データが挿入された広告データを広告データ格納部１３に出力する。
【００３６】
広告識別データ挿入部１２より広告識別データが挿入された広告データが出力されると共に、ネットワークＩ／Ｆ１１より広告属性データが出力される広告データ格納部１３は、例えば大容量のハードディスクで構築されており、広告識別データが挿入された広告データと広告属性データとを関連付けて格納している。
【００３７】
具体的に、広告データ格納部１３には、図２（Ｂ）に示すように、広告主「○○○レストラン」の広告主端末２より送信され、広告識別データ挿入部１２で広告識別データ「ＡＡ１」が挿入された「メニューＡ１」の広告データと広告属性データ「２０〜３０代」とを関連付けて格納し、広告識別データ「ＡＡ２」が挿入された「メニューＡ２」の広告データと広告属性データ「４０〜５０代」とを関連付けて格納し、他の広告主「△△△映画館」の広告主端末２より送信され、広告識別データ「ＢＢ１」が挿入された「映画Ｂ１」の広告データと広告属性データ「男性」とを関連付けて格納し、広告識別データ「ＢＢ２」が挿入された「映画Ｂ２」の広告データと広告属性データ「女性」とを関連付けて格納し、他の広告主「□□□スーパーマーケット」の広告主端末２より送信され、広告識別データ「ＣＣ１」が挿入された「商品Ｃ１」の広告データと広告属性データ「２０〜３０代」及び「男性」とを関連付けて格納し、広告識別データ「ＣＣ２」が挿入された「商品Ｃ２」の広告データと広告属性データ「４０〜５０代」及び「女性」とを関連付けて格納している。
【００３８】
全体の動作を制御する制御部１４は、ＣＰＵ、ＲＯＭ、ＲＡＭ等で構成され、例えばＰＣＩバスを介して相互に接続され、ＲＡＭ等にロードされたプログラムや処理データに従って全体の動作を制御する。
【００３９】
例えば、制御部１４は、広告データ格納部１３に格納されている複数の広告データを、ネットワークＩ／Ｆ１１を介して一又は複数の表示装置３０にストリーミング等で順次配信する。
【００４０】
また、制御部１４は、広告データに挿入した広告識別データを、ネットワークＩ／Ｆ１１を介してサービス管理装置２０に送信する。
【００４１】
更に、制御部１４は、ネットワークＩ／Ｆ１１を介して一の表示装置３０よりユーザの属性データと、この属性データと関連する広告データの広告要求信号とが送信されたとき、広告データ格納部１３に格納されている複数の広告データの中から、この属性データと一致する広告属性データと関連付けられた広告データを特定し、特定した広告データをネットワークＩ／Ｆ１１を介して送信してきた表示装置３０に配信する。
【００４２】
なお、広告配信装置１０は、広告主からの広告データを、記録媒体、例えば光ディスク、磁気テープ、メモリカードによって読み込んでもよい。すなわち、広告配信装置１０は、各種ドライブ装置を備え、広告主から提供された記録媒体を再生して、広告データを読み込んでもよい。
【００４３】
広告識別データとサービス識別データと管理テーブル等を関連付けて管理するサービス管理装置２０は、例えば広告代理店が管理しており、通常のサーバ装置やワークステーションと同様の構成を有する。
【００４４】
具体的に、サービス管理装置２０は、図７（Ａ）に示すように、ネットワークを介して広告主端末２や表示装置３０や店舗端末装置７０と通信を行うネットワークＩ／Ｆ２１と、大容量ハードディスク等に構築されたデータベース２２と、全体の動作を制御する制御部２３とを備えている。
【００４５】
広告主端末２や表示装置３０や店舗端末装置７０と通信を行うネットワークＩ／Ｆ２１は、インターネット等のネットワークを介して広告主端末２や表示装置３０や店舗端末装置７０と接続するネットワークカード等で構成され、ＴＣＰ／ＩＰ、ＲＴＰ等のプロトコルに従って通信を行う。
【００４６】
例えば、ネットワークＩ／Ｆ２１は、インターネット等のネットワークを介して複数の広告主端末２よりそれぞれ割引率データを管理する管理テーブルが送信され、送信された管理テーブルをデータベース２２に出力すると共に、インターネット等のネットワークを介して広告配信装置１０より広告識別データが送信され、送信された広告識別データをデータベース２２に出力する。
【００４７】
大容量ハードディスク等に構築されたデータベース２２は、広告識別データと管理テーブル等を体系的に管理する。データベース２２は、図７（Ｂ）に示すように、複数の広告主端末２よりそれぞれ送信された割引率データを管理する管理テーブルにサービス識別データを付与して格納している。また、データベース２２は、このサービス識別データと、広告配信装置１０より送信された広告識別データとを関連付けて格納している。
【００４８】
具体的に、データベース２２は、図７（Ｂ）に示すように、例えば、広告主「○○○レストラン」の広告主端末２より送信された「メニューＡ１」の割引率データを管理する第１の管理テーブルにサービス識別データ「ａａ１」を付与して格納し、このサービス識別データ「ａａ１」と広告配信装置１０より送信された「メニューＡ１」の広告データに挿入された広告識別データ「ＡＡ１」とを関連付けて格納している。
【００４９】
また、データベース２２は、「メニューＡ２」の割引率データを管理する第１の管理テーブルにサービス識別データ「ａａ２」を付与して格納し、このサービス識別データ「ａａ２」と広告配信装置１０より送信された「メニューＡ２」の広告データに挿入された広告識別データ「ＡＡ２」とを関連付けて格納している。
【００５０】
更に、データベース２２は、例えば、他の広告主「△△△映画館」の広告主端末２より送信された「映画Ｂ１」の割引率データを管理する第２の管理テーブルにサービス識別データ「ｂｂ１」を付与して格納し、このサービス識別データ「ｂｂ１」と広告配信装置１０より送信された「映画Ｂ１」の広告データに挿入された広告識別データ「ＢＢ１」とを関連付けて格納している。
【００５１】
また、データベース２２は、「映画Ｂ２」の割引率データを管理する第２の管理テーブルにサービス識別データ「ｂｂ２」を付与して格納し、このサービス識別データ「ｂｂ２」と広告配信装置１０より送信された「映画Ｂ２」の広告データに挿入された広告識別データ「ＢＢ２」とを関連付けて格納している。
【００５２】
更に、データベース２２は、例えば、他の広告主「□□□スーパーマーケット」の広告主端末２より送信された「商品Ｃ１」の割引率データを管理する第３の管理テーブルにサービス識別データ「ｃｃ１」を付与して格納し、このサービス識別データ「ｃｃ１」と広告配信装置１０より送信された「商品Ｃ１」の広告データに挿入された広告識別データ「ＣＣ１」とを関連付けて格納している。
【００５３】
また、データベース２２は、「商品Ｃ２」の割引率データを管理する第３の管理テーブルにサービス識別データ「ｃｃ２」を付与して格納し、このサービス識別データ「ｃｃ２」と広告配信装置１０より送信された「商品Ｃ２」の広告データに挿入された広告識別データ「ＣＣ２」とを関連付けて格納している。
【００５４】
更に、データベース２２は、「商品Ｄ」の割引率データを管理する第４の管理テーブルにサービス識別データ「ｄｄｄ」を付与して格納し、このサービス識別データ「ｄｄｄ」と広告配信装置１０より送信された「商品Ｄ」の広告データに挿入された広告識別データ「ＤＤＤ」とを関連付けて格納している。
【００５５】
全体の動作を制御する制御部２３は、ＣＰＵ、ＲＯＭ、ＲＡＭ等で構成され、データベース２２、ネットワークＩ／Ｆ２１等と例えばＰＣＩバスを介して相互に接続され、ＲＡＭ等にロードされたプログラムや処理データに従って全体の動作を制御する。
【００５６】
例えば、制御部２３は、複数の広告主端末２よりそれぞれネットワークＩ／Ｆ２１を介して送信された管理テーブルにサービス識別データを付与してデータベース２２に格納し、このサービス識別データと広告配信装置１０よりネットワークＩ／Ｆ２１を介して送信された広告識別データとを関連付けてデータベース２２に格納する。
【００５７】
また、制御部２３は、ネットワークＩ／Ｆ２１を介して表示装置３０より広告識別データと割引率データの取得要求信号とが送信されたとき、データベース２２にアクセスし、送信された広告識別データと関連付けられたサービス識別データをデータベース２２より特定し、特定したサービス識別データをネットワークＩ／Ｆ２１を介して表示装置３０に送信する。
【００５８】
更に、制御部２３は、ネットワークＩ／Ｆ２１を介して店舗端末装置７０よりサービス識別データと曜日、店舗、時間帯等の条件データが送信されたとき、データベース２２にアクセスし、送信されたサービス識別データに関連付けられた管理テーブルをデータベース２２より特定し、特定した管理テーブルで条件データに応じた割引率データを生成し、生成した割引率データをネットワークＩ／Ｆ２１を介して店舗端末装置７０に送信する。
【００５９】
また、制御部２３は、ネットワークＩ／Ｆ２１を介して表示装置３０より広告識別データと割引率データの確認要求信号とが送信されたとき、データベース２２にアクセスし、送信された広告識別データに関連付けられた管理テーブルをデータベース２２より特定し、特定した管理テーブルをネットワークＩ／Ｆ２１を介して表示装置３０に送信する。
【００６０】
更に、制御部２３は、ネットワークＩ／Ｆ２１を介して表示装置３０又は店舗端末装置７０からサービス識別データと取得済みの割引率データの確認要求信号とが送信されたとき、データベース２２にアクセスし、送信されたサービス識別データに関連付けられた管理テーブルをデータベース２２より特定し、特定した管理テーブルをネットワークＩ／Ｆ２１を介してサービス識別データと取得済みの割引率データの確認要求信号とを送信してきた表示装置３０又は店舗端末装置７０に送信する。
【００６１】
なお、サービス管理装置２０は、広告主からの管理テーブルを、記録媒体、例えば光ディスク、磁気テープ、メモリカードによって読み込んでもよい。すなわち、サービス管理装置２０は、各種ドライブ装置を備え、広告主から提供された記録媒体を再生して、広告データを読み込んでもよい。
【００６２】
広告配信装置１０より配信された広告データを表示する表示装置３０は、ホテルのロビー、駅構内といった公共の場所に設置される大型の表示装置等である。具体的に、表示装置３０は、図８に示すように、インターネット等のネットワークを介して広告配信装置１０やサービス管理装置２０と通信を行うネットワークＩ／Ｆ３１と、広告配信装置１０からネットワークＩ／Ｆ３１を介して配信された広告データより広告識別データを抽出する広告識別データ抽出部３２と、広告識別データ抽出部３２で抽出した広告識別データを格納する広告識別データ格納部３３と、広告データを表示するＣＲＴ（Cathode Ray Tube）、ＬＣＤ（Liquid Crystal Display）等の表示部３４と、操作信号を入力する押しボタン、スライドスイッチ、キーボード等で構成された操作部３５と、全体の動作を制御する制御部３６とを備えている。
【００６３】
広告配信装置１０やサービス管理装置２０と通信を行うネットワークＩ／Ｆ３１は、インターネット等のネットワークを介して広告配信装置１０やサービス管理装置２０と接続するネットワークカード等で構成され、ＴＣＰ／ＩＰ、ＲＴＰ等のプロトコルに従って通信を行う。
【００６４】
例えば、ネットワークＩ／Ｆ３１は、広告配信装置１０よりストリーミング配信された広告データを受信し、受信した広告データを広告識別データ抽出部３２に出力する。
【００６５】
ネットワークＩ／Ｆ３１より広告データが出力された広告識別データ抽出部３２は、出力された広告データより広告識別データを、例えば広告識別データが格納されているヘッダ部より抽出する。広告識別データ抽出部３２は、抽出した広告識別データを広告識別データ格納部３３に出力すると共に、広告データを表示部３４に出力する。
【００６６】
広告識別データ抽出部３２より広告識別データが出力される広告識別データ格納部３３は、例えば大容量のハードディスクで構築されており、広告識別データ抽出部３２より広告識別データが出力され、出力された広告識別データを格納する。なお、広告識別データ格納部３３は、広告配信装置１０より送信された表示部３４で再生する広告データを複数格納しておき、順次繰り返して、表示部３４で再生できるようにしても良い。
【００６７】
広告識別データ抽出部３２より広告データが出力される表示部３４は、例えばＬＣＤであって、複数、例えば４つを２列２段に並べて設け、同時に、同じ又は異なる４つの広告データを表示する。
【００６８】
操作部３５は、押しボタン、スライドスイッチ、ダイヤル等で構成されている。操作部３５では、例えば、ユーザが割引率データを取得するため、ユーザが表示部３４に表示されている広告データの割引率データを確認するため、又は、ユーザが取得済みの割引率データを確認するための操作を行う。
【００６９】
全体の動作を制御する制御部３６は、ＣＰＵ、ＲＯＭ、ＲＡＭ等で構成され、例えばＰＣＩバスを介して相互に接続され、操作部３５から入力される操作信号に応じて全体の動作を制御する。
【００７０】
例えば、制御部３６は、ユーザが割引率データを取得するために表示部３４に表示されている所定の広告データを操作部３５で選択し、ユーザが所持管理するＩＣカード５０を第１のリーダ／ライタ６０にかざしたとき、ユーザが操作部３５で選択した広告データの広告識別データを広告識別データ格納部３３より読み出し、ネットワークＩ／Ｆ３１を介して読み出した広告識別データと割引率データの取得要求信号とをサービス管理装置２０に送信すると共に、ネットワークＩ／Ｆ３１を介してサービス管理装置２０より送信されたサービス識別データを第１のリーダ／ライタ６０に出力する。
【００７１】
また、制御部３６は、ユーザが所持管理するＩＣカード５０を第１のリーダ／ライタ６０にかざしたとき、第１のリーダ／ライタ６０より出力されたユーザの属性データと広告要求信号とをネットワークＩ／Ｆ３１を介して広告配信装置１０に送信すると共に、ネットワークＩ／Ｆ３１を介して広告配信装置１０より送信された広告データを表示部３４で表示する。
【００７２】
更に、制御部３６は、ユーザが表示部３４に表示されている広告データの割引率データを確認するために所定の広告データを操作部で選択したとき、ユーザが操作部３５で選択した広告データの広告識別データを広告識別データ格納部３３より読み出し、ネットワークＩ／Ｆ３１を介して読み出した広告識別データと割引率データの確認要求信号とをサービス管理装置２０に送信すると共に、ネットワークＩ／Ｆ３１を介してサービス管理装置２０より送信された管理テーブルを表示部３４で表示する。
【００７３】
また、制御部３６は、ユーザが所持管理するＩＣカード５０に既に取得済みの割引率データを確認するために、ユーザが所持管理するＩＣカード５０を第１のリーダ／ライタ６０にかざしたとき、第１のリーダ／ライタ６０より受信したサービス識別データと取得済みの割引率データの広告要求信号とをネットワークＩ／Ｆ３１を介してサービス管理装置２０に送信すると共に、ネットワークＩ／Ｆ３１を介してサービス管理装置２０より送信された管理テーブルを表示部３４で表示する。
【００７４】
以上のように構成された表示装置３０には、ＩＣカード５０と通信を行う第１のリーダ／ライタ６０が接続されている。なお、ＩＣカード５０と第１のリーダ／ライタ６０との間では、ＲＦＩＤ（Radio Frequency Identification System）、ＮＦＣ（Near Field Communication）等の短距離又は近距離の無線通信が行われる。
【００７５】
ＩＣカード５０は、図９に示すように、例えば名刺サイズのプラスチックカード内に、第１のリーダ／ライタ６０や第２のリーダ／ライタ８０と通信を行う例えばループ状のアンテナ５１と、第１のリーダ／ライタ６０や第２のリーダ／ライタ８０と通信制御を行うコントローラ５２と、第１のリーダ／ライタ６０や第２のリーダ／ライタ８０と送受信を行う際の変復調を行うＲＦ部５３と、メモリ識別データともなるユーザ識別データ等が格納されたＲＯＭ５４と、送受信を行うデータが一時的にロードされるＲＡＭ５５と、サービス識別データ等を格納するメモリ５６を備えている。
【００７６】
このＩＣカード５０では、動作電源電圧Ｖｄをレギュレータ５７で得るようにし、電池を内蔵しないようになっている。すなわち、ここで用いられるレギュレータ５７は、第１のリーダ／ライタ６０や第２リーダ／ライタ８０との通信時にアンテナ５１で得られる磁界エネルギーをコイルで誘導し、これを直流電圧Ｖｄに変換して各部の動作電源電圧とする。
【００７７】
また、メモリ５６は、ＥＥＰ−ＲＯＭ（Electrically Erasable Programmable Read-Only Memory）といった不揮発性の半導体メモリであって、例えば、表示装置３０から取得したサービス識別データを格納する。また、メモリ５６は、ユーザの性別、年齢、嗜好、住所等の属性データを格納している。更に、メモリ５６は、電子マネー等の電子バリューデータを格納するようにしても良い。また、メモリ識別データともなるユーザ識別データ等は、ＲＯＭ５４ではなく、このメモリ５６に格納されていても良い。
【００７８】
このようなＩＣカード５０において、コントローラ５２は、アンテナ５１で受信した変調信号をＲＦ部５３で復調し、メモリ５６に格納する。例えば、表示装置３０がサービス管理装置２０から取得したサービス識別データは、このようにしてメモリ５６に格納されることになる。
【００７９】
また、コントローラ５２は、メモリ出力するデータをメモリ５６から読み出すと、ＲＦ部５３で出力データを変調し、アンテナ５１から第１のリーダ／ライタ６０や第２のリーダ／ライタ８０に送受信する。例えば、第１のリーダ／ライタ６０は、このようにしてＩＣカード５０に格納されている属性データが送信される。また、第１のリーダ／ライタ６０は、ユーザが既に取得済みの割引率データを表示装置３０で確認するとき、このようにしてＩＣカード５０に格納されているサービス識別データが送信される。更に、第２のリーダ／ライタ８０には、ユーザが割引率データを使用するとき、又は、ユーザが取得済みの割引率データを店舗端末装置７０で確認するとき、このようにしてＩＣカード５０に格納されているサービス識別データが送信される。
【００８０】
なお、本発明では、ＩＣカード５０は、携帯電話やＰＤＡ（Personal Digital(Data) Assistant ）等の小型又は携帯型の情報処理装置に内蔵されているものであっても良い。
【００８１】
次に、以上のようなＩＣカード５０と通信を行う第１のリーダ／ライタ６０について図１０を参照して説明する。
【００８２】
第１のリーダ／ライタ６０は、図１０に示すように、ＩＣチップ６１に、ＣＰＵ６２、ＳＰＵ（Signal Processing Unit）６３、ＲＡＭ６５ａ及びＲＯＭ６５ｂを有するメモリ６４が設けられていると共に、復調部６６、アンテナ６７、変調部６８、発振回路６９を有する。そして、ＣＰＵ６２、ＳＰＵ６３、メモリ６４は、バスを介して相互に接続されている。
【００８３】
ＣＰＵ６２は、ＲＯＭ６５ｂに格納されている制御プログラムをＲＡＭ６５ａにロードし、表示装置３０より出力された制御信号に基づいて各種の処理を実行する。例えばＣＰＵ６２は、ＩＣカード５０にデータを送信するコマンドを生成し、この生成したコマンドを、バスを介してＳＰＵ６３に出力したり、ＩＣカード５０より送信されたデータの認証処理等を行う。
【００８４】
ＳＰＵ６３は、ＩＣカード５０からの応答データが復調部６６から送信されてきたとき、そのデータに対して、例えば、ＢＰＳＫ（Binary Phase Shift_Keying）復調（マンチェスターコードのデコード）等を施し、取得したデータを、表示装置３０に出力する。また、ＳＰＵ６３は、ＩＣカード５０に送信するコマンドが出力されたとき、出力されたコマンドにＢＰＳＫ変調（マンチェスターコードへのコーディング）を施し、取得したデータを変調部６８に出力する。
【００８５】
変調部６８は、発振回路６９から出力される所定の周波数（例えば、１３．５６MHz）の搬送波を、ＳＰＵ６３より出力されるデータに基づいてＡＳＫ（Amplitude Shift Keying）変調し、生成された変調波を、電磁波としてアンテナ６７から出力する。一方、復調部６６は、アンテナ６７を介して取得した変調波（ＡＳＫ変調波）を復調し、復調されたデータをＳＰＵ６３に出力する。
【００８６】
アンテナ６７は、例えばループ状であり、所定の電磁波を輻射し、それに対する負荷の変化に基づいて非接触型のＩＣカード５０が近接されたか否かを検出する。そして、ＩＣカード５０が近接されたとき、アンテナ６７は、ＩＣカード５０との間で各種のデータを送受信する。
【００８７】
以上のような第１のリーダ／ライタ６０は、ユーザが割引率データを取得するために、表示装置３０に表示されている所定の広告データを選択し、ＩＣカード５０をアンテナ６７に近接させたとき、ＩＣカード５０に、ユーザが選択した広告データと関連付けられたサービス識別データを格納する処理を行う。
【００８８】
また、第１のリーダ／ライタ６０は、ユーザが所持管理するＩＣカード５０の属性データと関連する広告データを表示装置３０に表示させるために、ＩＣカード５０をアンテナ６７に近接させたとき、ＩＣカード５０より属性データを読み出し、読み出した属性データを表示装置３０に出力する。
【００８９】
更に、第１のリーダ／ライタ６０は、ユーザが既に取得済みの割引率データを確認するために、操作部３５で割引率データを確認する操作を行い、ＩＣカード５０をアンテナ６７に近接させたとき、ＩＣカード５０よりサービス識別データを読み出し、読み出したサービス識別データを表示装置３０に出力する。
【００９０】
ここで、本発明を適用したデータ処理システム１は、広告データが表示装置３０の表示部３４に表示され、ユーザに選択された広告データの広告識別データを表示装置３０からサービス管理装置２０に送信し、サービス管理装置２０からこの広告識別データに関連付けられたサービス識別データを表示装置３０に送信し、表示装置３０からこのサービス識別データを第１のリーダ／ライタ６０を介してＩＣカード５０に送信するものである。このため、第１のリーダ／ライタ６０は、表示装置３０に近接した位置に設けられる。
【００９１】
例えば、図１１に示すように、第１のリーダ／ライタ６０は、表示装置３０の表示部３４に設けられている。表示部３４は、例えばＬＣＤであって、図１２に示すように、表示面とは反対側に、第１のリーダ／ライタ６０がループ状のアンテナ６７がＬＣＤの裏面に近接するように配設されている。この場合、表示部３４を構成する表示面の第１のリーダ／ライタ６０上の領域がＩＣカード５０がかざされる通信領域３４ａとなる。この図１１の例によれば、表示装置３０の外形形状を簡素化することができると共に操作性の向上を図ることかができる。これにより、図１１に示すように、ユーザは、ＩＣカード５０を表示部３４内の通信領域３４ａにかざすことによってデータのやり取りを行うことができる。
【００９２】
なお、第１のリーダ／ライタ６０は、表示装置３０の表示部３４の周囲のフレーム３０ａに固定されたり、ＵＳＢ（Universal Serial Bus）、ブルートゥース、ＩＥＥＥ（the Institute of Electrical and Electronics Engineers）１３９４、ＩＥＥＥ８０２等の有線又は無線のインタフェースで接続されて、表示装置３０に近接した位置に設けられるようにしてもよい。
【００９３】
また、図１１に示す表示装置３０では、表示部３４が４つ設けられていることから、同時に、同じ又は異なる４つの広告データを再生することができる。なお、表示装置３０では、表示部３４が４つ設けられていることに限定されるものではなく、少なくとも１つ設けられていればよく、適宜変更可能である。以下、図１３には、４つの表示部３４に表示される広告データの一例を示す。
【００９４】
例えば、図１３中左上の表示部３４には、「○○○レストラン」に関する広告データ、すなわち「メニューＡ１」、「メニューＡ２」等の画像データが表示され、右上の表示部３４には、「△△△映画館」の広告データ、すなわち「映画Ｂ１」、「映画Ｂ２」等の予告編等の動画データが表示され、左下の表示部３４には、「□□□スーパーマーケット」の広告データ、すなわち「商品Ｃ１」、「商品Ｃ２」等の画像データが表示され、右下の表示部３４には、「□□□スーパーマーケット」の「商品Ｄ」の画像データが表示されている。
【００９５】
そして、例えば、図１３中左上の表示部３４の第１のリーダ／ライタ６０からは、「○○○レストラン」の「メニューＡ１」、「メニューＡ２」等のサービスデータである割引率データが取得でき、右上の表示部３４の第１のリーダ／ライタ６０からは、「△△△映画館」で上演している「映画Ｂ１」、「映画Ｂ２」等の割引率データが取得でき、左下の表示部３４の第１のリーダ／ライタ６０からは、「□□□スーパーマーケット」の「商品Ｃ１」、「商品Ｃ２」等の割引率データが取得でき、右下の表示部３４の第１のリーダ／ライタ６０からは、「□□□スーパーマーケット」の「商品Ｄ」の割引率データが取得できるようになっている。
【００９６】
また、ＩＣカード５０にサービス識別データを取得したユーザが割引率データを使用する店舗に設置された店舗端末装置７０は、図１４に示すように、商品を販売する店舗に設置されるＰＯＳ（Point Of Sale terminal）端末の機能を有する装置であって、サービス管理装置２０と通信を行うネットワークＩ／Ｆ７１と、ＰＯＳ端末としての機能を実現するＰＯＳ機能部７２と、動作状況等を表示する表示部７３と、全体の動作を制御する制御部７４とを備える。
【００９７】
サービス管理装置２０と通信を行うネットワークＩ／Ｆ７１は、インターネット等のネットワークを介してサービス管理装置２０と接続するネットワークカード等で構成され、ＴＣＰ／ＩＰ、ＲＴＰ等のプロトコルに従って通信を行う。
【００９８】
例えば、ネットワークＩ／Ｆ７１は、ユーザが割引率データを使用するためにユーザ又は店員が図示しない操作部を操作したとき、第２のリーダ／ライタ８０を介してＩＣカード５０より読み出したサービス識別データと、ＩＣカード５０を第２のリーダ／ライタ８０にかざしたときの曜日、店舗、時間帯等を示す条件データとをサービス管理装置２０に送信すると共に、サービス管理装置２０より割引率データが送信され、送信された割引率データをＰＯＳ機能部７２に出力する。
【００９９】
また、ネットワークＩ／Ｆ７１は、ユーザが取得済みの割引率データを確認するためにユーザ又は店員が図示しない操作部を操作したとき、第２のリーダ／ライタ８０を介してＩＣカード５０から読み出したサービス識別データをサービス管理装置２０に送信すると共に、サービス管理装置２０より管理テーブルが送信され、送信された管理テーブルを表示部７３に出力する。
【０１００】
ネットワークＩ／Ｆ７１から割引率データが出力されるＰＯＳ機能部７２は、例えば商品に付されたバーコード等を光学的に読み取るリーダ等を備えており、商品のバーコード等の一次元又は二次元のシンボルを読み取る。ＰＯＳ機能部７２は、ネットワークＩ／Ｆ７１より割引率データが出力され、出力された割引率データに応じて商品の決算処理を行う。
【０１０１】
動作状況等を表示する表示部７３は、例えば、ネットワークＩ／Ｆ７１より出力された管理テーブルを表示し、ユーザや店員が割引率データを確認することができるようにする。なお、表示部７３には、割引率データを示すバーコード等のシンボルを表示し、ＰＯＳ機能部７２のリーダ等でシンボルを読み取ることができるようにしても良い。
【０１０２】
全体の動作を制御する制御部７４は、ＣＰＵ、ＲＯＭ、ＲＡＭ等で構成され、図示しない操作部から入力される操作信号に応じて店舗端末装置７０の全体の動作を制御する。
【０１０３】
具体的に、制御部７４は、ユーザが割引率データを使用するために、ユーザ又は店員が図示しない操作部を操作し、ＩＣカード５０を第２のリーダ／ライタ８０にかざしたとき、第２のリーダ／ライタ８０を介してＩＣカード５０よりサービス識別データを読み出し、ＩＣカード５０を第２のリーダ／ライタ８０にかざしたときの曜日、店舗、時間帯等を示す条件データを生成し、読み出したサービス識別データと生成した条件データとをネットワークＩ／Ｆ７１を介してサービス管理装置２０に送信すると共に、ネットワークＩ／Ｆ７１を介してサービス管理装置２０より送信された割引率データを用いてＰＯＳ機能部７２で商品の決算処理を行う。
【０１０４】
また、制御部７４は、ユーザが取得済みの割引率データを確認するためにユーザ又は店員が図示しない操作部を操作し、ＩＣカード５０を第２のリーダ／ライタ８０にかざしたとき、第２のリーダ／ライタ８０を介してＩＣカード５０からサービス識別データを読み出し、ネットワークＩ／Ｆ７１を介して読み出したサービス識別データをサービス管理装置２０に送信すると共に、ネットワークＩ／Ｆ７１を介してサービス管理装置２０より送信された管理テーブルを表示部７３で表示する。
【０１０５】
更に、以上のような店舗端末装置７０に接続される第２のリーダ／ライタ８０は、図１０を用いて説明した第１のリーダ／ライタ６０と同様の構成を有するため、その構成の詳細は省略する。
【０１０６】
この第２のリーダ／ライタ８０は、ユーザがＩＣカード５０をかざしたとき、ＩＣカード５０よりサービス識別データを読み出し、読み出したサービス識別データを店舗端末装置７０に出力する。
【０１０７】
次に、以上のように構成されたデータ処理システム１において、ユーザがＩＣカード５０にサービスデータを取得するまでの一連の手順について図１５を参照して説明する。
【０１０８】
先ず、広告主端末２は、ステップＳ１において、広告ソース３に格納している広告データと、ユーザが所持管理するＩＣカード５０に格納された属性データと関連する広告データを提供するための広告属性データとを広告配信装置１０に送信すると共に、ステップＳ２において、この広告データの割引率データを管理する管理テーブルをサービス管理装置２０に送信する。例えば、広告主が「○○○レストラン」の場合、「○○○レストラン」の広告主端末２より、広告ソース３に格納している「メニューＡ１」と「メニューＡ２」の画像データと、「メニューＡ１」に対して「２０代〜３０代」と設定し、「メニューＡ２」に対して「４０代〜５０代」と設定した広告属性データとを広告配信装置１０に送信すると共に、第１の管理テーブルをサービス管理装置２０に送信する。
【０１０９】
広告主端末２より広告データと広告属性データとが送信された広告配信装置１０の広告識別データ挿入部１２は、広告識別データを広告主端末２より送信された広告データの例えばヘッダ部に挿入する。すなわち、広告配信装置１０の広告識別データ挿入部１２は、「○○○レストラン」の広告主端末２より送信された「メニューＡ１」の画像データのヘッダ部に広告識別データ「ＡＡ１」を挿入し、「メニューＡ２」の画像データのヘッダ部に広告識別データ「ＡＡ２」を挿入する。
【０１１０】
また、広告配信装置１０は、広告識別データを挿入した広告データと、広告属性データとを関連付けて広告データ格納部１３に格納する。すなわち、広告配信装置１０は、広告識別データを挿入した「メニューＡ１」の画像データと、「２０代〜３０代」と広告主により設定された広告属性データとを関連付けて広告データ格納部１３に格納し、「メニューＡ２」の画像データと、「４０代〜５０代」と広告主により設定された広告属性データとを関連付けて広告データ格納部１３に格納する。
【０１１１】
更に、広告配信装置１０は、ステップＳ３において、広告データ格納部１３に格納した広告データの広告識別データをサービス管理装置２０に送信する。すなわち、広告配信装置１０は、広告データ格納部１３に格納した「メニューＡ１」及び「メニューＡ２」の広告識別データ「ＡＡ１」及び「ＡＡ２」をサービス管理装置２０に送信する。
【０１１２】
広告配信装置１０より広告識別データが送信されたサービス管理装置２０は、複数の広告主端末２よりそれぞれ送信された割引率データを管理する管理テーブルにサービス識別データを付与し、このサービス識別データと広告配信装置１０より送信された広告識別データとを関連付けてデータベース２２で格納する。すなわち、サービス管理装置２０では、広告主「○○○レストラン」の広告主端末２より送信された「メニューＡ１」の割引率データを管理する第１の管理テーブルにサービス識別データ「ａａ１」を付与してデータベース２２に格納し、このサービス識別データ「ａａ１」と広告配信装置１０より送信された「メニューＡ１」の画像データに挿入された広告識別データ「ＡＡ１」とを関連付けて格納すると共に、「メニューＡ２」の割引率データを管理する第１の管理テーブルにサービス識別データ「ａａ２」を付与して格納し、このサービス識別データ「ａａ２」と広告配信装置１０より送信された「メニューＡ２」の画像データに挿入された広告識別データ「ＡＡ２」とを関連付けてデータベース２２に格納する。
【０１１３】
そして、広告配信装置１０は、ステップＳ４において、広告データ格納部１３に格納されている複数の広告データを、一又は複数の表示装置３０にストリーミング等で順次配信する。
【０１１４】
広告配信装置１０より複数の広告データが送信された表示装置３０は、広告配信装置１０より送信された広告データの例えばヘッド部より広告識別データを抽出して広告識別データ格納部３３に格納すると共に、広告データを表示部３４で表示する。すなわち、表示装置３０は、広告配信装置１０より送信された「メニューＡ１」及び「メニューＡ２」の画像データのヘッド部より広告識別データ「ＡＡ１」及び「ＡＡ２」を抽出して広告識別データ格納部３３に格納し、「映画Ｂ１」及び「映画Ｂ２」の動画データのヘッド部より広告識別データ「ＢＢ１」及び「ＢＢ２」を抽出して広告識別データ格納部３３に格納し、「商品Ｃ１」及び「商品Ｃ２」の画像データのヘッド部より広告識別データ「ＣＣ１」及び「ＣＣ２」を抽出して広告識別データ格納部３３に格納し、「商品Ｄ」の画像データのヘッド部より広告識別データ「ＤＤＤ」を抽出して広告識別データ格納部３３に格納する。そして、例えば、左上の表示部３４には、「○○○レストラン」に関する広告データ、すなわち「メニューＡ１」、「メニューＡ２」等の画像データが表示され、右上の表示部３４には、「△△△映画館」の広告データ、すなわち「映画Ｂ１」、「映画Ｂ２」等の予告動画データが表示され、左下の表示部３４には、「□□□スーパーマーケット」の広告データ、すなわち「商品Ｃ１」、「商品Ｃ２」等の画像データが表示され、右下の表示部３４には、「□□□スーパーマーケット」の「商品Ｄ」の画像データが表示される。
【０１１５】
また、表示装置３０は、例えば、表示部３４で広告データが表示されているとき、ユーザが表示されている広告データの割引率データを取得しようと操作部３５で広告データを選択すると、ステップＳ５において、表示装置３０は、選択された広告データの広告識別データと、この広告データの割引率データの取得要求信号とをサービス管理装置２０に送信する。例えば、ユーザが左上の表示部３４に表示されている「メニューＡ１」の割引率データを取得しようと操作部３５で「メニューＡ１」の画像データを選択すると、表示装置３０は、「メニューＡ１」の広告識別データ「ＡＡ１」と、「メニューＡ１」の割引率データの取得要求信号とをサービス管理装置２０に送信する。
【０１１６】
表示装置３０より広告識別データと取得要求信号とが送信されたサービス管理装置２０の制御部２３は、データベース２２にアクセスし、表示装置３０より受信した広告識別データに関連付けられているサービス識別データをデータベース２２より特定し、ステップＳ６において、特定したサービス識別データを表示装置３０に送信する。すなわち、サービス管理装置２０は、「メニューＡ１」の広告識別データ「ＡＡ１」に関連付けられているサービス識別データ「ａａ１」をデータベース２２より特定し、サービス識別データ「ａａ１」を表示装置３０に送信する。
【０１１７】
サービス管理装置２０よりサービス識別データが送信された表示装置３０は、ステップＳ７において、サービス管理装置２０より送信されたサービス識別データ、例えば、「メニューＡ１」と関連付けられたサービス識別データ「ａａ１」を第１のリーダ／ライタ６０に出力する。
【０１１８】
表示装置３０よりサービス識別データが出力された第１のリーダ／ライタ６０は、ステップＳ８において、表示装置３０より出力されたサービス識別データ、例えば「ａａ１」を、ユーザによってかざされたＩＣカード５０に送信し、ＩＣカード５０は、第１のリーダ／ライタ６０より送信されたサービス識別データ、例えば「ａａ１」を、メモリ５６に格納する。
【０１１９】
かくして、ユーザは、表示装置３０で視聴している広告データを操作部３５で選択し、第１のリーダ／ライタ６０にＩＣカード５０をかざすことによって、手軽にこの広告データの割引率データを取得することができる。
【０１２０】
次に、ユーザが割引率データを使用するときの一連の手順について図１６を参照して説明する。先ず、ユーザが所持管理するＩＣカード５０には、例えば「○○○レストラン」の「メニューＡ１」の画像データと関連付けられたサービス識別データ、例えば「ａａ１」を、メモリ５６に格納している場合について説明する。
【０１２１】
例えば、店舗端末装置７０を設置する「○○○レストラン」を「土曜日」に訪ねたユーザは、「メニューＡ１」の決済処理を行う際に、ユーザ又は店員が図示しない操作部を操作すると共に、自らが所持管理するＩＣカード５０を店舗端末装置７０の第２のリーダ／ライタ８０にかざす。
【０１２２】
ＩＣカード５０がかざされた第２のリーダ／ライタ８０は、ステップＳ１０において、かざされたＩＣカード５０よりサービス識別データ、例えば「ａａ１」を読み出し、ステップＳ１１において、読み出したサービス識別データ、例えば「ａａ１」を店舗端末装置７０に出力する。
【０１２３】
第２のリーダ／ライタ８０よりサービス識別データが出力された店舗端末装置７０の制御部７４は、ＩＣカード５０が第２のリーダ／ライタ８０にかざされたときの条件データを生成する。例えば、「○○○レストラン」の店舗端末装置７０は、「土曜日」という曜日を示す条件データを生成する。
【０１２４】
条件データを生成した店舗端末装置７０は、ステップＳ１２において、サービスデータの割引率データを取得するために、第２のリーダ／ライタ８０より出力されたサービス識別データ、例えば「ａａ１」と、条件データ、例えば「土曜日」とを、サービス管理装置２０に送信する。
【０１２５】
店舗端末装置７０よりサービス識別データと条件データとが送信されたサービス管理装置２０の制御部２３は、データベース２２にアクセスし、店舗端末装置７０より送信されたサービス識別データと関連付けられた管理テーブルをデータベース２２より特定し、特定した管理テーブルで条件データに応じた割引率データを生成し、ステップＳ１３において、生成した割引率データを店舗端末装置７０に送信する。すなわち、サービス管理装置２０の制御部２３は、データベース２２にアクセスし、サービス識別データ「ａａ１」と関連付けられた第１の管理テーブルをデータベース２２より特定し、第１の管理テーブルで条件データ「土曜日」に応じた１０％の割引率データを生成し、１０％の割引率データを「○○○レストラン」の店舗端末装置７０に送信する。
【０１２６】
サービス管理装置２０より割引率データが送信された店舗端末装置７０は、「メニューＡ１」に対して、１０％の割引率で、ＰＯＳ機能部７２で決済処理を行う。
【０１２７】
次に、ユーザが所持管理するＩＣカード５０には、例えば「△△△映画館」の「映画Ｂ１」の予告動画データと関連付けられたサービス識別データ、例えば「ｂｂ１」を、メモリ５６に格納している場合について説明する。
【０１２８】
例えば、店舗端末装置７０を設置する「△△△映画館」の「６６６店舗」を訪ねたユーザは、「映画Ｂ１」の決済処理を行う際に、ユーザ又は店員が図示しない操作部を操作すると共に、自らが所持管理するＩＣカード５０を店舗端末装置７０の第２のリーダ／ライタ８０にかざす。
【０１２９】
ＩＣカード５０がかざされた第２のリーダ／ライタ８０は、ステップＳ１０において、かざされたＩＣカード５０よりサービス識別データ、例えば「ｂｂ１」を読み出し、ステップＳ１１において、読み出したサービス識別データ、例えば「ｂｂ１」を店舗端末装置７０に出力する。
【０１３０】
第２のリーダ／ライタ８０よりサービス識別データが出力された店舗端末装置７０の制御部７４は、ＩＣカード５０が第２のリーダ／ライタ８０にかざされたときの条件データを生成する。例えば、「△△△映画館」の「６６６店舗」の店舗端末装置７０は、「６６６店舗」という店舗を示す条件データを生成する。
【０１３１】
条件データを生成した店舗端末装置７０は、ステップＳ１２において、サービスデータの割引率データを取得するために、第２のリーダ／ライタ８０より出力されたサービス識別データ、例えば「ｂｂ１」と、条件データ、例えば「６６６店舗」とを、サービス管理装置２０に送信する。
【０１３２】
店舗端末装置７０よりサービス識別データと条件データとが送信されたサービス管理装置２０の制御部２３は、データベース２２にアクセスし、店舗端末装置７０より送信されたサービス識別データと関連付けられた管理テーブルをデータベース２２より特定し、特定した管理テーブルで条件データに応じた割引率データを生成し、ステップＳ１３において、生成した割引率データを店舗端末装置７０に送信する。すなわち、サービス管理装置２０の制御部２３は、データベース２２にアクセスし、サービス識別データ「ｂｂ１」と関連付けられた第２の管理テーブルをデータベース２２より特定し、第２の管理テーブルで条件データ「６６６店舗」に応じた５％の割引率データを生成し、５％の割引率データを「△△△映画館」の「６６６店舗」の店舗端末装置７０に送信する。
【０１３３】
サービス管理装置２０より割引率データが送信された店舗端末装置７０は、「映画Ｂ１」に対して、５％の割引率で、ＰＯＳ機能部７２で決済処理を行う。
【０１３４】
次に、ユーザが所持管理するＩＣカード５０には、例えば「□□□スーパーマーケット」の「商品Ｃ１」の画像データと関連付けられたサービス識別データ、例えば「ｃｃ１」を、メモリ５６に格納している場合について説明する。
【０１３５】
例えば、店舗端末装置７０を設置する「□□□スーパーマーケット」を「１６時３０分」に訪ねたユーザは、「商品Ｃ１」の決済処理を行う際に、ユーザ又は店員が図示しない操作部を操作すると共に、自らが所持管理するＩＣカード５０を店舗端末装置７０の第２のリーダ／ライタ８０にかざす。
【０１３６】
ＩＣカード５０がかざされた第２のリーダ／ライタ８０は、ステップＳ１０において、かざされたＩＣカード５０よりサービス識別データ、例えば「ｃｃ１」を読み出し、ステップＳ１１において、読み出したサービス識別データ、例えば「ｃｃ１」を店舗端末装置７０に出力する。
【０１３７】
第２のリーダ／ライタ８０よりサービス識別データが出力された店舗端末装置７０の制御部７４は、ＩＣカード５０が第２のリーダ／ライタ８０にかざされたときの条件データを生成する。例えば、「□□□スーパーマーケット」の店舗端末装置７０は、「１６時３０分」という時間帯を示す条件データを生成する。
【０１３８】
条件データを生成した店舗端末装置７０は、ステップＳ１２において、サービスデータの割引率データを取得するために、第２のリーダ／ライタ８０より出力されたサービス識別データ、例えば「ｃｃ１」と、条件データ、例えば「１６時３０分」とを、サービス管理装置２０に送信する。
【０１３９】
店舗端末装置７０よりサービス識別データと条件データとが送信されたサービス管理装置２０の制御部２３は、データベース２２にアクセスし、店舗端末装置７０より送信されたサービス識別データと関連付けられた管理テーブルをデータベース２２より特定し、特定した管理テーブルで条件データに応じた割引率データを生成し、ステップＳ１３において、生成した割引率データを店舗端末装置７０に送信する。すなわち、サービス管理装置２０の制御部２３は、データベース２２にアクセスし、サービス識別データ「ｃｃ１」と関連付けられた第３の管理テーブルを特定し、第３の管理テーブルで条件データ「１６時３０分」に応じた５％の割引率データを生成し、５％の割引率データを「□□□スーパーマーケット」の店舗端末装置７０に送信する。
【０１４０】
サービス管理装置２０より割引率データが送信された店舗端末装置７０は、「商品Ｃ１」に対して、５％の割引率で、ＰＯＳ機能部７２で決済処理を行う。
【０１４１】
次に、ユーザが所持管理するＩＣカード５０には、例えば「□□□スーパーマーケット」の「商品Ｄ」の画像データと関連付けられたサービス識別データ、例えば「ｄｄｄ」を、メモリ５６に格納している場合について説明する。
【０１４２】
例えば、店舗端末装置７０を設置する「□□□スーパーマーケット」を「土曜日、１６時３０分」に訪ねたユーザは、「商品Ｄ」の決済処理を行う際に、ユーザ又は店員が図示しない操作部を操作すると共に、自らが所持管理するＩＣカード５０を店舗端末装置７０の第２のリーダ／ライタ８０にかざす。
【０１４３】
ＩＣカード５０がかざされた第２のリーダ／ライタ８０は、ステップＳ１０において、かざされたＩＣカード５０よりサービス識別データ、例えば「ｄｄｄ」を読み出し、ステップＳ１１において、読み出したサービス識別データ、例えば「ｄｄｄ」を店舗端末装置７０に出力する。
【０１４４】
第２のリーダ／ライタ８０よりサービス識別データが出力された店舗端末装置７０の制御部７４は、ＩＣカード５０が第２のリーダ／ライタ８０にかざされたときの条件データを生成する。例えば、「□□□スーパーマーケット」の店舗端末装置７０は、「土曜日、１６時３０分」という曜日及び時間帯を示す条件データを生成する。
【０１４５】
条件データを生成した店舗端末装置７０は、ステップＳ１２において、サービスデータである割引率データを取得するために、第２のリーダ／ライタ８０より出力されたサービス識別データ、例えば「ｄｄｄ」と、条件データ、例えば「土曜日、１６時３０分」とを、サービス管理装置２０に送信する。
【０１４６】
店舗端末装置７０よりサービス識別データと条件データとが送信されたサービス管理装置２０の制御部２３は、データベース２２にアクセスし、店舗端末装置７０より受信したサービス識別データと関連付けられた管理テーブルをデータベース２２より特定し、特定した管理テーブルで条件データに応じた割引率データを生成し、ステップＳ１３において、生成したサービスデータである割引率データを店舗端末装置７０に送信する。すなわち、サービス管理装置２０の制御部２３は、データベース２２にアクセスし、サービス識別データ「ｄｄｄ」と関連付けられた第４の管理テーブルをデータベース２２より特定し、第４の管理テーブルで条件データ「土曜日、１６時３０分」に応じた１０％の割引率データを生成し、１０％の割引率データを「□□□スーパーマーケット」の店舗端末装置７０に送信する。
【０１４７】
サービス管理装置２０より割引率データが送信された店舗端末装置７０は、「商品Ｄ」に対して、１０％の割引率で、ＰＯＳ機能部７２で決済処理を行う。
【０１４８】
なお、割引率データが使用されて決済処理を行った店舗端末装置７０は、例えば、割引率データが使用されたことを示す使用済みデータを、第２のリーダ／ライタ８０に出力し、第２のリーダ／ライタ８０では、店舗端末装置７０より送信された使用済みデータをＩＣカードに送信し、ＩＣカード５０は、第２のリーダ／ライタ８０より送信された使用済みデータによって、メモリ５６に格納されているサービス識別データを無効化し、一度使用されたサービス識別データが重複利用されないようにしてもよい。
【０１４９】
また、条件データは、店舗端末装置７０で生成することに限定されるものではなく、サービス管理装置２０で生成されてもよい。
【０１５０】
かくして、ユーザは、ユーザ又は店員が図示しない操作部を操作すると共に、自らが所持管理するＩＣカード５０を第２のリーダ／ライタ８０にかざすことで、割引率データを使用することができる。
【０１５１】
また、ＩＣカード５０と店舗端末装置７０との間でサービス識別データをやり取りすることで、ＩＣカード５０と店舗端末装置７０との間のデータ通信量を少なくすることができる。
【０１５２】
なお、データ処理システム１は、広告配信装置１０より送信された広告データを順次表示部３４で表示することに限定されるものではなく、ユーザが表示装置３０に表示されている広告データの割引率データを取得しようと操作部３５で広告データを選択する前に、ユーザが所持管理するＩＣカード５０に格納された属性データと関連する広告データを表示装置３０に表示させるようにしてもよい。以下、表示装置３０にユーザが所持管理するＩＣカード５０に格納された属性データと関連する広告データを表示装置３０に表示させるときの一連の手順について図１７を参照して説明する。
【０１５３】
先ず、広告データが表示されている表示装置３０を訪ねたユーザは、自らが所持管理するＩＣカード５０を第１のリーダ／ライタ６０にかざす。
【０１５４】
ＩＣカード５０がかざされた第１のリーダ／ライタ６０は、ステップＳ２０において、かざされたＩＣカード５０より、例えば「３０代、男性」という属性データを読み出し、ステップＳ２１において、読み出した属性データと、この属性データと関連する広告データの広告要求信号を表示装置３０に出力する。
【０１５５】
第１のリーダ／ライタ６０より属性データと広告要求信号とが出力された表示装置３０は、ステップＳ２２において、属性データと広告要求信号とを広告配信装置１０に送信する。
【０１５６】
表示装置３０より属性データと広告要求信号とが送信された広告配信装置１０の制御部１４は、ステップＳ２３において、表示装置３０より送信された属性データと関連付けられている広告属性データが設定されている広告データを広告データ格納部１３より特定し、特定した広告データを表示装置３０に送信する。すなわち、広告配信装置１０の制御部１４は、「３０代、男性」という属性データと関連付けられている広告属性データが設定されている「メニューＡ１」の画像データと、「映画Ｂ１」の動画データと、「商品Ｃ１」の画像データと、「商品Ｄ」の画像データとを広告データ格納部１３より特定し、表示装置３０に送信する。
【０１５７】
広告配信装置１０より広告データが送信された表示装置３０は、広告配信装置１０より送信された広告データ、例えば「メニューＡ１」の画像データと、「映画Ｂ１」の動画データと、「商品Ｃ１」の画像データと、「商品Ｄ」の画像データとを表示部３４で表示する。
【０１５８】
かくして、ユーザは、属性データと関連する広告データを同時に視聴することができ、自分の属性データと関連する広告データを容易に選択することができる。
【０１５９】
また、データ処理システム１は、ユーザが割引率データを取得する前後に、表示部３４に表示されている広告データの割引率データを表示装置３０に表示し、ユーザが確認することができるようにしてもよい。以下、表示部３４に表示されている広告データの割引率データを表示装置３０で表示するときの一連の手順について図１８を参照して説明する。
【０１６０】
表示装置３０は、ユーザが表示部３４に表示されている一の広告データを操作部３５で選択すると、ステップＳ３０において、選択された広告データの広告識別データと、この広告データの割引率データを確認する確認要求信号とをサービス管理装置２０に送信する。例えば、表示装置３０は、ユーザが左上の表示部３４に表示されている「メニューＡ１」を操作部３５で選択すると、「メニューＡ１」の広告識別データ「ＡＡ１」と、「メニューＡ１」の割引率データを確認する確認要求信号とをサービス管理装置２０に送信する。
【０１６１】
表示装置３０より広告識別データと確認要求信号とが送信されたサービス管理装置２０の制御部２３は、データベース２２にアクセスし、表示装置３０より送信された広告識別データと関連付けられている管理テーブルをデータベース２２より特定し、ステップＳ３１において、特定した管理テーブルを表示装置３０に送信する。すなわち、サービス管理装置２０の制御部２３は、データベース２２にアクセスし、広告識別データ「ＡＡ１」と関連付けられている第１の管理テーブルをデータベース２２より特定し、第１の管理テーブルを表示装置３０に送信する。
【０１６２】
サービス管理装置２０より管理テーブルが送信された表示装置３０は、サービス管理装置２０より送信された第１の管理テーブルを表示部３４で表示する。
【０１６３】
なお、表示部３４には、第１の管理テーブルに管理されている全ての広告データの割引率データを表示することに限定されるものではなく、第１の管理テーブルの一部、すなわち、「メニューＡ１」の割引率データだけを表示するようにしてもよい。
【０１６４】
かくして、ユーザは、表示部３４に表示されている一の広告データを操作部３５で選択することによって、選択した広告データの割引率データが表示部３４で表示され、選択した広告データの割引率データを確認することができる。
【０１６５】
更に、データ処理システム１は、ユーザが所持管理するＩＣカード５０に既に取得済みの割引率データを表示装置３０に表示し、ユーザが表示装置３０で確認することができるようにしてもよい。以下、既にユーザが所持管理するＩＣカード５０に取得済みの割引率データを表示装置３０で表示するときの一連の手順について図１９を参照して説明する。
【０１６６】
ここで、ユーザが所持管理するＩＣカード５０には、例えば「○○○レストラン」の「メニューＡ１」の画像データと関連付けられたサービス識別データ、例えば「ａａ１」を、既にメモリ５６に格納し、取得済みの場合について説明する。
【０１６７】
先ず、ユーザは、表示装置３０を訪ね、操作部３５で既に自らが所持管理するＩＣカード５０に取得済みの割引率データを確認する操作を行うと共に、自らが所持管理するＩＣカード５０を第１のリーダ／ライタ６０にかざす。
【０１６８】
ＩＣカード５０がかざされた第１のリーダ／ライタ６０は、ステップＳ４０において、かざされたＩＣカード５０よりサービス識別データを読み出し、ステップＳ４１において、読み出したサービス識別データを表示装置３０に出力する。すなわち、第１のリーダ／ライタ６０は、ＩＣカード５０よりサービス識別データ「ａａ１」を読み出し、サービス識別データ「ａａ１」を表示装置３０に出力する。
【０１６９】
第１のリーダ／ライタ６０よりサービス識別データが出力された表示装置３０は、ステップＳ４２において、第１のリーダ／ライタ６０より出力されたサービス識別データと、このサービス識別データと関連付けられた広告データの割引率データの確認要求信号とをサービス管理装置２０に送信する。
【０１７０】
表示装置３０よりサービス識別データと確認要求信号とが送信されたサービス管理装置２０の制御部２３は、データベース２２にアクセスし、表示装置３０より送信されたサービス識別データと関連付けられている管理テーブルをデータベース２２より特定し、ステップＳ４３において、特定した管理テーブルを表示装置３０に送信する。すなわち、サービス管理装置２０の制御部２３は、データベース２２にアクセスし、サービス識別データ「ａａ１」と関連付けられている第１の管理テーブルをデータベース２２より特定し、第１の管理テーブルを表示装置３０に送信する。
【０１７１】
サービス管理装置２０より管理テーブルが送信された表示装置３０は、サービス管理装置２０より送信された管理テーブル、例えば第１の管理テーブルを表示部３４で表示する。
【０１７２】
かくして、ユーザは、操作部３５で取得済みの割引率データを確認する操作を行うと共に、自らが所持管理するＩＣカード５０を第１のリーダ／ライタ６０にかざすことによって、自らが所持管理するＩＣカード５０に既に取得済みの割引率データが表示装置３０で表示され、自らが所持管理するＩＣカード５０に既に取得済みの割引率データを表示装置３０で確認することができる。
【０１７３】
また、データ処理システム１は、既にユーザが所持管理するＩＣカード５０に取得済みの割引率データを店舗端末装置７０に表示し、ユーザが店舗端末装置７０で確認することができるようにしてもよい。以下、既にユーザが所持管理するＩＣカード５０に取得済みの割引率データを店舗端末装置７０に表示するときの一連の手順について図２０を参照して説明する。
【０１７４】
ここで、ユーザが所持管理するＩＣカード５０には、例えば「○○○レストラン」の「メニューＡ１」の画像データと関連付けられたサービス識別データ、例えば「ａａ１」を、既にメモリ５６に格納し、取得済みの場合について説明する。
【０１７５】
先ず、ユーザは、店舗端末装置７０を設置する「○○○レストラン」を訪ね、図示しない操作部で取得済みの割引率データを確認する操作を行うと共に、自らが所持管理するＩＣカード５０を第２のリーダ／ライタ８０にかざす。
【０１７６】
ＩＣカード５０がかざされた第２のリーダ／ライタ８０は、ステップＳ５０において、かざされたＩＣカード５０よりサービス識別データを読み出し、ステップＳ５１において、読み出したサービス識別データを店舗端末装置７０に出力する。すなわち、第２のリーダ／ライタ８０は、ＩＣカード５０よりサービス識別データ「ａａ１」を読み出し、サービス識別データ「ａａ１」を店舗端末装置７０に出力する。
【０１７７】
第２のリーダ／ライタ８０よりサービス識別データが出力された店舗端末装置７０は、ステップＳ５２において、第２のリーダ／ライタ８０より受信したサービス識別データと、このサービス識別データと関連付けられた広告データの割引率の確認要求信号とをサービス管理装置２０に送信する。
【０１７８】
店舗端末装置７０よりサービス識別データと確認要求信号とが送信されたサービス管理装置２０の制御部２３は、データベース２２にアクセスし、店舗端末装置７０より送信されたサービス識別データと関連付けられている管理テーブルをデータベース２２より特定し、ステップＳ５３において、特定した管理テーブルを店舗端末装置７０に送信する。すなわち、サービス管理装置２０の制御部２３は、データベース２２にアクセスし、サービス識別データ「ａａ１」と関連付けられている第１の管理テーブルをデータベース２２より特定し、第１の管理テーブルを店舗端末装置７０に送信する。
【０１７９】
サービス管理装置２０より管理テーブルが送信された店舗端末装置７０は、サービス管理装置２０より送信された管理テーブル、例えば第１の管理テーブルを表示部７３で表示する。
【０１８０】
かくして、ユーザは、店舗端末装置７０の図示しない操作部で取得済みの割引率データを確認する操作を行うと共に、自らが所持管理するＩＣカード５０を第２のリーダ／ライタ８０にかざすことによって、自らが所持管理するＩＣカード５０に既に取得済みの割引率データが店舗端末装置７０で表示され、取得済みの割引率データを店舗端末装置７０で確認することができる。
【０１８１】
以上のような構成を有するデータ処理システム１は、広告配信装置１０より送信された広告識別データが挿入された広告データを表示部３４に表示する表示装置３０が、ユーザによって表示部３４に表示されている広告データの割引率データを取得しようと操作部３５で広告データが選択されると、選択された広告データの広告識別データと割引率データの取得要求信号とをサービス管理装置２０に送信し、サービス管理装置２０の制御部２３が、データベース２２にアクセスし、表示装置３０より送信された広告識別データに関連付けられたサービス識別データをデータベース２２より特定し、特定したサービス識別データを表示装置３０に送信し、表示装置３０が、サービス管理装置２０より送信されたサービス識別データを第１のリーダ／ライタ６０を介してＩＣカード５０に書き込み、ユーザが所持管理するＩＣカード５０を店舗端末装置７０の第２のリーダ／ライタ８０にかざすと、第２のリーダ／ライタ８０がＩＣカード５０よりサービス識別データを読み出して、読み出したサービス識別データを店舗端末装置７０に出力し、店舗端末装置７０が、ＩＣカードが第２のリーダ／ライタ８０にかざされたときの曜日、店舗、時間帯等を示す条件データを生成すると共に、第２のリーダ／ライタ８０より出力されたサービス識別データと生成した割引率データの条件データとをサービス管理装置２０に送信し、サービス管理装置２０の制御部２３が、データベース２２にアクセスし、店舗端末装置７０より送信されたサービス識別データに関連付けられた管理テーブルをデータベース２２より特定し、特定した管理テーブルで条件データに応じた割引率データを生成し、生成した割引率データを店舗端末装置７０に送信することで、曜日や店舗や時間帯等の条件によって割引率を変更することができるので、来客の少ない条件のときに、割引率を高く設定することができるようになり、来客を増やすように誘導することができる。
【０１８２】
また、データ処理システム１は、ＩＣカード５０と店舗端末装置７０との間でサービス識別データをやり取りすることで、ＩＣカード５０と店舗端末装置７０との間のデータ通信量を少なくすることができる。
【０１８３】
更に、データ処理システム１は、ユーザが表示装置３０を訪ね、自らが所持管理するＩＣカード５０を第１のリーダ／ライタ６０にかざすと、第１のリーダ／ライタ６０が、かざされたＩＣカード５０より属性データを読み出し、読み出した属性データを表示装置３０に出力し、表示装置３０が、第１のリーダ／ライタ６０より出力された属性データと、この属性データと関連する広告データの広告要求信号とを広告配信装置１０に送信し、広告配信装置１０の制御部１４が、表示装置３０より送信された属性データと関連付けられている広告データを広告データ格納部１３より特定し、特定した広告データを表示装置３０に送信し、表示装置３０が、広告配信装置１０より送信された属性データと関連付けられている広告データを表示部３４で表示することで、ユーザが、属性データと関連する広告データを視聴することができる。
【０１８４】
また、データ処理システム１は、ユーザが表示装置３０を訪ね、ユーザが表示装置３０の表示部３４に表示されている一の広告データを選択すると、表示装置３０が選択された広告データの広告識別データとこの広告データの割引率データを確認する確認要求信号とをサービス管理装置２０に送信し、サービス管理装置２０の制御部２３が、データベース２２にアクセスし、表示装置３０より送信された広告識別データと関連付けられている管理テーブルをデータベース２２より特定し、特定した管理テーブルを表示装置３０に送信し、表示装置３０が、サービス管理装置２０より送信された管理テーブルを表示部３４で表示することで、ユーザが、選択した広告データの割引率データを表示装置３０で確認することができる。
【０１８５】
更に、データ処理システム１は、ユーザが表示装置３０を訪ね、自らが所持管理するＩＣカード５０に既に取得済みの割引率データを確認する操作を操作部３５で行うと共に、自らが所持管理するＩＣカード５０を表示装置３０の第１のリーダ／ライタ６０にかざすと、第１のリーダ／ライタ６０が、かざされたＩＣカード５０よりサービス識別データを読み出し、読み出したサービス識別データを表示装置３０に出力し、表示装置３０が、第１のリーダ／ライタ６０より出力されたサービス識別データと、このサービス識別データと関連付けられた広告データの割引率の確認要求信号とをサービス管理装置２０に送信し、サービス管理装置２０の制御部２３が、データベース２２にアクセスし、表示装置３０より送信されたサービス識別データと関連付けられている管理テーブルをデータベース２２より特定し、特定した管理テーブルを表示装置３０に送信し、表示装置３０が、サービス管理装置２０より送信された管理テーブルを表示部３４で表示することで、ユーザが、自らが所持管理するＩＣカード５０に既に取得済みの割引率データを表示装置３０で確認することができる。
【０１８６】
また、データ処理システム１は、ユーザが店舗端末装置７０を設置する店舗を訪ね、自らが所持管理するＩＣカード５０に既に取得済みの割引率データを確認する操作を図示しない操作部で行うと共に、自らが所持管理するＩＣカード５０を店舗端末装置７０に接続されている第２のリーダ／ライタ８０にかざすと、第２のリーダ／ライタ８０が、かざされたＩＣカード５０よりサービス識別データを読み出し、読み出したサービス識別データを店舗端末装置７０に出力し、店舗端末装置７０が、第２のリーダ／ライタ８０より送信されたサービス識別データと、このサービス識別データと関連付けられた広告データの割引率の確認要求信号とをサービス管理装置２０に送信し、サービス管理装置２０の制御部２３が、データベース２２にアクセスし、店舗端末装置７０より送信されたサービス識別データと関連付けられている管理テーブルをデータベース２２より特定し、特定した管理テーブルを店舗端末装置７０に送信し、店舗端末装置７０が、サービス管理装置２０より送信された管理テーブルを表示部７３で表示することで、ユーザが、自らが所持管理するＩＣカード５０に既に取得済みの割引率データを店舗端末装置７０で確認することができる。
【０１８７】
更に、表示装置３０及び店舗端末装置７０を用いて、ユーザが、自らが所持管理するＩＣカード５０に既に取得済みの割引率データを確認することに限定されるものではなく、図１に示すように、ユーザが所持管理するＰＣやテレビジョン受信機等のユーザ端末９０で確認することができるようにしてもよい。
【０１８８】
なお、ユーザ端末９０は、インターネット等のネットワークを介してサービス管理装置２０と通信を行うネットワークＩ／Ｆと、割引率データを確認するＣＲＴ（Cathode Ray Tube）、ＬＣＤ（Liquid Crystal Display）等の表示部と、操作信号を入力する押しボタン、スライドスイッチ、キーボード等で構成された操作部と、内蔵又は近接した位置に設けられた第３のリーダ／ライタ１００とを備えている。
【０１８９】
以下、既にユーザが所持管理するＩＣカード５０に取得済みの割引率データをユーザ端末９０で表示するときの一連の手順について図１９を参照して説明する。
【０１９０】
ここで、ユーザが所持管理するＩＣカード５０には、例えば「○○○レストラン」の「メニューＡ１」の画像データと関連付けられたサービス識別データ、例えば「ａａ１」を、既にメモリ５６に格納し、取得済みの場合について説明する。
【０１９１】
先ず、ユーザは、自宅のＰＣの図示しない操作部で既に自らが所持管理するＩＣカード５０に取得済みの割引率データを確認する操作を行うと共に、自らが所持管理するＩＣカード５０を第３のリーダ／ライタ１００にかざす。
【０１９２】
ＩＣカード５０がかざされた第３のリーダ／ライタ１００は、ステップＳ４０において、かざされたＩＣカード５０よりサービス識別データを読み出し、ステップＳ４１において、読み出したサービス識別データをユーザ端末９０に出力する。すなわち、第３のリーダ／ライタ１００は、ＩＣカード５０よりサービス識別データ「ａａ１」を読み出し、サービス識別データ「ａａ１」をユーザ端末９０に出力する。
【０１９３】
第３のリーダ／ライタ１００よりサービス識別データが出力されたユーザ端末９０は、ステップＳ４２において、第３のリーダ／ライタ１００より出力されたサービス識別データと、このサービス識別データと関連付けられた広告データの割引率データの確認要求信号とをサービス管理装置２０に送信する。
【０１９４】
ユーザ端末９０よりサービス識別データと確認要求信号とが送信されたサービス管理装置２０の制御部２３は、データベース２２にアクセスし、ユーザ端末９０より送信されたサービス識別データと関連付けられている管理テーブルをデータベース２２より特定し、ステップＳ４３において、特定した管理テーブルをユーザ端末９０に送信する。すなわち、サービス管理装置２０の制御部２３は、データベース２２にアクセスし、サービス識別データ「ａａ１」と関連付けられている第１の管理テーブルをデータベース２２より特定し、第１の管理テーブルをユーザ端末９０に送信する。
【０１９５】
サービス管理装置２０より管理テーブルが送信されたユーザ端末９０は、サービス管理装置２０より送信された管理テーブル、例えば第１の管理テーブルを表示部で表示する。
【０１９６】
かくして、ユーザは、自宅のＰＣテレビジョン受信機等のユーザ端末９０の操作部で取得済みの割引率データを確認する操作を行うと共に、自らが所持管理するＩＣカード５０をユーザ端末９０に内蔵又は近接した位置に設けられた第３のリーダ／ライタ１００にかざすことによって、自らが所持管理するＩＣカード５０に既に取得済みの割引率データが表示部で表示され、自らが所持管理するＩＣカード５０に既に取得済みの割引率データをユーザ端末９０で確認することができる。
【図面の簡単な説明】
【０１９７】
【図１】本発明が適用されたデータ処理システムの全体構成を示した図である。
【図２Ａ】広告主端末と広告配信装置の構成を示したブロック図である。
【図２Ｂ】広告ソースに格納されているデータの一例を示した図である。
【図３】第１の管理テーブルの一例を示した図である。
【図４】第２の管理テーブルの一例を示した図である。
【図５】第３の管理テーブルの一例を示した図である。
【図６】第４の管理テーブルの一例を示した図である。
【図７Ａ】サービス管理装置の構成を示したブロック図である。
【図７Ｂ】データベースに格納されているデータの一例を示した図である。
【図８】表示装置の構成を示したブロック図である。
【図９】ＩＣカードの構成を示したブロック図である。
【図１０】第１のリーダ／ライタの構成を示したブロック図である。
【図１１】表示部を４つ備えた表示装置の斜視図である。
【図１２】表示部内に第１のリーダ／ライタを設けた表示装置の断面図である。
【図１３】図１１の表示装置の４つの表示部の表示例を示した図である。
【図１４】店舗端末装置の構成を示したブロック図である。
【図１５】割引率データを取得するまでの一連の動作を示すフローチャートである。
【図１６】割引率データを使用するときの一連の動作を示すフローチャートである。
【図１７】属性データと関連する広告データを表示部に表示する一連の動作を示すフローチャートである。
【図１８】管理テーブルを表示部に表示する一連の動作を示すフローチャートである。
【図１９】取得済みの割引率データを管理する管理テーブルを表示装置に表示する一連の動作、及び、取得済みの割引率データを管理する管理テーブルをユーザ端末に表示する一連の動作を示すフローチャートである。
【図２０】取得済みの割引率データを管理する管理テーブルを店舗端末装置に表示する一連の動作を示すフローチャートである。
【符号の説明】
【０１９８】
１  データ処理システム、２  広告主端末、３  広告ソース、４  ネットワークＩ／Ｆ、５  制御部、１０  広告配信装置、１１  ネットワークＩ／Ｆ、１２  広告識別データ挿入部、１３  広告データ格納部、１４  制御部、２０  サービス管理装置、２１  ネットワークＩ／Ｆ、２２  データベース、２３  制御部、３０  表示装置、３１  ネットワークＩ／Ｆ、３２  広告識別データ抽出部、３３  広告識別データ格納部、３４  表示部、３４ａ  通信領域、３５  操作部、３６  制御部、５０  ＩＣカード、５１  アンテナ、５２  コントローラ、５３  ＲＦ部、５４  ＲＯＭ、５５  ＲＡＭ、５６  メモリ、５７  レギュレータ、６０  第１のリーダ／ライタ、６１  ＩＣチップ、６２  ＣＰＵ、６３  ＳＰＵ、６４  メモリ、６５ａ  ＲＡＭ、６５ｂ  ＲＯＭ、６６  復調部、６７  アンテナ、６８  変調部、６９  発振回路、  ７０  店舗端末装置、７１  ネットワークＩ／Ｆ、７２  ＰＯＳ機能部、７３  表示部、７４  制御部、８０  第２のリーダ／ライタ、９０  ユーザ端末、１００  第３のリーダ／ライタ
【図１】
2009043147.tif 000003
【図２Ａ】
2009043147.tif 000004
【図２Ｂ】
2009043147.tif 000005
【図３】
2009043147.tif 000006
【図４】
2009043147.tif 000007
【図５】
2009043147.tif 000008
【図６】
2009043147.tif 000009
【図７Ａ】
2009043147.tif 000010
【図７Ｂ】
2009043147.tif 000011
【図８】
2009043147.tif 000012
【図９】
2009043147.tif 000013
【図１０】
2009043147.tif 000014
【図１１】
2009043147.tif 000015
【図１２】
2009043147.tif 000016
【図１３】
2009043147.tif 000017
【図１４】
2009043147.tif 000018
【図１５】
2009043147.tif 000019
【図１６】
2009043147.tif 000020
【図１７】
2009043147.tif 000021
【図１８】
2009043147.tif 000022
【図１９】
2009043147.tif 000023
【図２０】
2009043147.tif 000024